(57)【要約】【課題】読取ユニットがユニット保持部に取り付けられた後の製造過程で、読取ユニットがユニット保持部から脱落することを抑制できる、画像読取装置およびその製造方法を提供する。【解決手段】密着イメージセンサユニット２７の突起部７３がそれぞれユニット保持部２６の左挿通溝６３に右側から左方へ挿入されることにより、密着イメージセンサユニット２７がユニット保持部２６に前後方向に位置決めされた状態で取り付けられる。その後、コンタクトガラスが密着イメージセンサユニット２７に対して上側に配置されて、コンタクトガラスの左端部が取付部８１の後立設部８２の下方の隙間８９および前立設部８４の下方の隙間９０に右側から左方へ挿入されることにより、コンタクトガラスが取付部８１に取り付けられる。【選択図】図１０
2014096713.tif 000002
【特許請求の範囲】
【請求項１】
第１方向の一方側に突出する突起部が形成され、第１方向に直交する第２方向に移動される原稿または前記第２方向に移動して静止された原稿の画像を読み取るように構成される読取ユニットと、
前記第１方向の前記他方側に開放され、前記読取ユニットの前記突起部が挿入されるように構成される挿通口が形成され、前記読取ユニットを保持するように構成されるユニット保持部と、
前記読取ユニットに対して前記第１方向および前記第２方向と直交する第３方向の一方側に配置されるカバー部材と、
前記カバー部材に対して前記第１方向の前記一方側に設けられ、前記カバー部材の前記第１方向の前記一方側の端部が前記第１方向の前記他方側から挿入されるように構成される取付部とを備える、画像読取装置。
【請求項２】
前記カバー部材の前記第１方向の前記他方側の端部に対し前記第３方向の前記一方側に位置する、前記カバー部材を前記第３方向に位置決めするための位置決め部材を備える、請求項１に記載の画像読取装置。
【請求項３】
前記ユニット保持部の前記第１方向の前記他方側の端部には、開口が形成されており、
前記位置決め部材は、前記開口に前記第１方向の前記一方側から挿入されるように構成される挿入部と、前記カバー部材に対し前記第３方向の前記一方側に位置し、前記カバー部材を前記第３方向の他方側に押圧するように構成される押圧部と、を備え、
前記画像読取装置は、前記カバー部材に対し前記第３方向の前記他方側に位置し、前記カバー部材を支持するように構成される支持部を備える、請求項２に記載の画像読取装置。
【請求項４】
前記読取ユニットと前記カバー部材との間に介在され、前記読取ユニットと前記カバー部材との間隔を調整するように構成される間隔調整部材を備える、請求項１〜３のいずれか一項に記載の画像読取装置。
【請求項５】
前記取付部は、前記カバー部材の前記第１方向の前記一方側の端部に前記第３方向の前記一方側から当接する当接部を備え、
前記画像読取装置は、前記カバー部材に対し前記第３方向の前記他方側に位置し、前記カバー部材を支持するように構成される支持部を備える、請求項１〜４のいずれか一項に記載の画像読取装置。
【請求項６】
第１方向の一方側に突出する突起部が形成され、第１方向に直交する第２方向に移動される原稿または前記第２方向に移動して静止された原稿の画像を読み取るように構成される読取ユニットと、
前記第１方向の前記他方側に開放され、前記読取ユニットの前記突起部が挿入される挿通口が形成され、前記第１方向の前記他方側の端部に開口が形成されたユニット保持部と、
前記読取ユニットに対して前記第１方向および前記第２方向と直交する第３方向の一方側に配置されるカバー部材と、
前記読取ユニットと前記カバー部材との間に介在される間隔調整部材と、
前記カバー部材の前記第１方向の前記他方側の端部に対し前記第３方向の前記一方側に位置し、前記カバー部材を前記第３方向の他方側に押圧するように構成される押圧部と、前記押圧部から前記第１方向の前記他方側に突出し、前記開口に挿入される挿入部とを有する位置決め部材と、
前記カバー部材の前記第１方向の前記一方側の端部に前記第３方向の一方側から当接する当接部と、
前記カバー部材に対し前記第３方向の前記他方側に位置し、前記カバー部材を支持するように構成される支持部と、を備える、画像読取装置。
【請求項７】
読取ユニットおよびカバー部材をユニット保持部に取り付けて、画像読取装置を製造する方法であって、
前記読取ユニットは、第１方向の一方側に突出する突起部が形成され、原稿の画像を読み取るように構成されており、
前記ユニット保持部は、前記第１方向の前記他方側に開放される挿通口が形成され、前記読取ユニットを保持するように構成されており、
前記読取ユニットの前記突起部を、前記第１方向の前記他方側から前記ユニット保持部の前記挿通口に挿入する第１挿入工程と、
前記第１挿入工程後、前記カバー部材の前記第１方向の前記一方側の端部を、前記カバー部材に対して前記第１方向の前記一方側に設けられた取付部に前記第１方向の前記他方側から挿入する第２挿入工程とを含む、画像読取装置の製造方法。
【請求項８】
第１方向の一方側に開放される挿通口が形成され、第１方向に直交する第２方向に移動される原稿または前記第２方向に移動して静止された原稿の画像を読み取るように構成される読取ユニットと、
前記第１方向の前記他方側に突出し、前記読取ユニットの前記挿通口に挿入されるように構成される突起部が形成され、前記読取ユニットを保持するように構成されるユニット保持部と、
前記読取ユニットに対して前記第１方向および前記第２方向と直交する第３方向の一方側に配置されるカバー部材と、
前記カバー部材に対して前記第１方向の前記一方側に設けられ、前記カバー部材の前記第１方向の前記一方側の端部が前記第１方向の前記他方側から挿入されるように構成される取付部とを備える、画像読取装置。
【請求項９】
読取ユニットおよびカバー部材をユニット保持部に取り付けて、画像読取装置を製造する方法であって、
第１方向の一方側に開放される挿通口が形成され、原稿の画像を読み取るように構成されており、
前記ユニット保持部は、前記第１方向の前記他方側に突出する突起部が形成され、前記読取ユニットを保持するように構成されており、
前記読取ユニットの前記突起部または前記挿通口を、前記第１方向の前記他方側から前記ユニット保持部の前記挿通口または前記突起部に挿入する第１挿入工程と、
前記第１挿入工程後、前記カバー部材の前記第１方向の前記一方側の端部を、前記カバー部材に対して前記第１方向の前記一方側に設けられた取付部に前記第１方向の前記他方側から挿入する第２挿入工程とを含む、画像読取装置の製造方法。
【発明の詳細な説明】
【技術分野】
【０００１】
本発明は、画像読取装置およびその製造方法に関する。
【背景技術】
【０００２】
特許文献１に開示されている画像読取装置は、イメージセンサユニットと、イメージセンサユニットを保持する保持部材とを備えている。
【０００３】
イメージセンサユニットは、２本の軸を有している。各軸は、イメージセンサユニットによる主走査方向に延びる同一直線上に互いに間隔を空けて配置されている。また、各軸は、イメージセンサユニットから主走査方向の一方側に突出している。各軸が保持部材に形成された穴に主走査方向の他方側から挿通されることにより、イメージセンサユニットが保持部材に保持される。この状態で、イメージセンサユニットは、保持部材に対して主走査方向と直交する副走査方向に位置決めされる。
【先行技術文献】
【特許文献】
【０００４】
【特許文献１】特開平１１−１６８５９２号公報
【発明の概要】
【発明が解決しようとする課題】
【０００５】
ところが、前述の構成では、イメージセンサユニットが保持部材に取り付けられた後の製造過程で、イメージセンサユニットが主走査方向の他方側に移動し、イメージセンサユニットの軸が保持部材の穴から抜けるおそれがある。イメージセンサユニットの軸が保持部材の穴から抜けると、イメージセンサユニットが保持部材から脱落する。そのため、イメージセンサユニットを保持部材に取り付けし直さなければならない。そのため、画像読取装置の製造に手間がかかる。
【０００６】
本発明の目的は、読取ユニットがユニット保持部に取り付けられた後の製造過程で、読取ユニットがユニット保持部から脱落することを抑制できる、画像読取装置およびその製造方法を提供することである。
【課題を解決するための手段】
【０００７】
前記の目的を達成するため、本発明の一の局面に係る画像読取装置は、第１方向の一方側に突出する突起部が形成され、第１方向に直交する第２方向に移動される原稿または前記第２方向に移動して静止された原稿の画像を読み取るように構成される読取ユニットと、前記第１方向の前記他方側に開放され、前記読取ユニットの前記突起部が挿入されるように構成される挿通口が形成され、前記読取ユニットを保持するように構成されるユニット保持部と、前記読取ユニットに対して前記第１方向および前記第２方向と直交する第３方向の一方側に配置されるカバー部材と、前記カバー部材に対して前記第１方向の前記一方側に設けられ、前記カバー部材の前記第１方向の前記一方側の端部が前記第１方向の前記他方側から挿入されるように構成される取付部とを備える。
【０００８】
この構成によれば、読取ユニットの突起部がユニット保持部の挿通口に第１方向の他方側から挿入される。これにより、読取ユニットがユニット保持部に取り付けられる。その後、カバー部材が読取ユニットに対して第３方向の一方側に配置される。そして、カバー部材の第１方向の一方側の端部が取付部に第１方向の他方側から挿入される。これにより、カバー部材が取付部に取り付けられる。
【０００９】
ユニット保持部に対する読取ユニットの取付方向と取付部に対するカバー部材の取付方向とが同じである。これにより、読取ユニットがユニット保持部に取り付けられた後、カバー部材が取付部に取り付けられるときに、読取ユニットの突起部がユニット保持部の挿通口から離脱することを抑制できる。よって、読取ユニットが保持部材に取り付けられた後の製造過程で、読取ユニットがユニット保持部から脱落することを抑制できる。
【００１０】
画像読取装置は、カバー部材の第１方向の他方側の端部に対し第３方向の一方側に位置する、カバー部材を第３方向に位置決めするための位置決め部材を備えていることが好ましい。
【００１１】
この構成により、カバー部材を第３方向に位置決めすることができる。
【００１２】
ユニット保持部の第１方向の他方側の端部には、開口が形成されており、位置決め部材は、開口に第１方向の一方側から挿入されるように構成される挿入部と、カバー部材に対し第３方向の一方側に位置し、カバー部材を第３方向の他方側に押圧するように構成される押圧部とを備え、画像読取装置は、カバー部材に対し第３方向の他方側に位置し、カバー部材を支持するように構成される支持部を備えていてもよい。
【００１３】
この構成によれば、位置決め部材の挿入部がユニット保持部の開口に挿入されることにより、位置決め部材をユニット保持部に取り付けることができる。そして、その状態で、位置決め部材の押圧部がカバー部材を第３方向の他方側に押圧し、支持部が第３方向の他方側からカバー部材を支持する。これにより、カバー部材を第３方向に位置決めすることができる。
【００１４】
画像読取装置は、読取ユニットとカバー部材との間に介在され、読取ユニットとカバー部材との間隔を調整するように構成される間隔調整部材を備えることが好ましい。
【００１５】
この構成により、読取ユニットとカバー部材との間隔を調整することができる。読取ユニットとカバー部材との間隔が一定に調整されることにより、カバー部材上に配置される原稿の読取対象面と読取ユニットとの間隔を一定に保持することができる。その結果、読取ユニットにより、原稿の読取対象面の画像を良好に読み取ることができる。
【００１６】
取付部は、カバー部材の第１方向の一方側の端部に第３方向の一方側から当接する当接部を備え、画像読取装置は、カバー部材に対し第３方向の他方側に位置し、カバー部材を支持するように構成される支持部を備えていてもよい。
【００１７】
この構成によれば、取付部の当接部がカバー部材の第１方向の一方側の端部に第３方向の一方側から当接し、支持部が第３方向の他方側からカバー部材を支持する。これにより、カバー部材の第１方向の一方側の端部を第３方向に位置決めすることができる。
【００１８】
本発明の他の局面に係る画像読取装置は、第１方向の一方側に突出する突起部が形成され、第１方向に直交する第２方向に移動される原稿または前記第２方向に移動して静止された原稿の画像を読み取るように構成される読取ユニットと、前記第１方向の前記他方側に開放され、前記読取ユニットの前記突起部が挿入される挿通口が形成され、前記第１方向の前記他方側の端部に開口が形成されたユニット保持部と、前記読取ユニットに対して前記第１方向および前記第２方向と直交する第３方向の一方側に配置されるカバー部材と、前記読取ユニットと前記カバー部材との間に介在される間隔調整部材と、前記カバー部材の前記第１方向の前記他方側の端部に対し前記第３方向の前記一方側に位置し、前記カバー部材を前記第３方向の他方側に押圧するように構成される押圧部と、前記押圧部から前記第１方向の前記他方側に突出し、前記開口に挿入される挿入部とを有する位置決め部材と、前記カバー部材の前記第１方向の前記一方側の端部に前記第３方向の一方側から当接する当接部と、前記カバー部材に対し前記第３方向の前記他方側に位置し、前記カバー部材を支持するように構成される支持部と、を備える。
【００１９】
この構成によれば、読取ユニットの突起部がユニット保持部の挿通口に第１方向の他方側から挿入される。これにより、読取ユニットがユニット保持部に取り付けられる。その後、カバー部材が読取ユニットに対して第３方向の一方側に配置される。そして、カバー部材の第１方向の一方側の端部がユニット保持部と当接部との間に第１方向の他方側から挿入される。
【００２０】
ユニット保持部に対する読取ユニットの取付方向とユニット保持部と当接部との間へのカバー部材の取付方向とが同じである。これにより、読取ユニットがユニット保持部に取り付けられた後、カバー部材が取り付けられるときに、読取ユニットの突起部がユニット保持部の挿通口から離脱することを抑制できる。よって、読取ユニットが保持部材に取り付けられた後の製造過程で、読取ユニットがユニット保持部から脱落することを抑制できる。
【００２１】
また、位置決め部材の挿入部がユニット保持部の開口に挿入されることにより、位置決め部材をユニット保持部に取り付けることができる。そして、その状態で、位置決め部材の押圧部がカバー部材の第１方向の他方側の端部を第３方向の他方側に押圧し、支持部が第３方向の他方側からカバー部材を支持する。また、当接部がカバー部材の第１方向の一方側の端部に第３方向の一方側から当接し、支持部が第３方向の他方側からカバー部材を支持する。これにより、カバー部材を第３方向に位置決めすることができる。
【００２２】
また、読取ユニットとカバー部材との間に間隔調整部材が介在されることにより、読取ユニットとカバー部材との間隔を調整することができる。読取ユニットとカバー部材との間隔が一定に調整されることにより、カバー部材上に配置される原稿の読取対象面と読取ユニットとの間隔を一定に保持することができる。その結果、読取ユニットにより、原稿の読取対象面の画像を良好に読み取ることができる。
【００２３】
本発明のさらに他の局面に係る画像読取装置の製造方法は、読取ユニットおよびカバー部材をユニット保持部に取り付けて、画像読取装置を製造する方法であって、前記読取ユニットは、第１方向の一方側に突出する突起部が形成され、原稿の画像を読み取るように構成されており、前記ユニット保持部は、前記第１方向の前記他方側に開放される挿通口が形成され、前記読取ユニットを保持するように構成されており、前記読取ユニットの前記突起部を、前記第１方向の前記他方側から前記ユニット保持部の前記挿通口に挿入する第１挿入工程と、前記第１挿入工程後、前記カバー部材の前記第１方向の前記一方側の端部を、前記カバー部材に対して前記第１方向の前記一方側に設けられた取付部に前記第１方向の前記他方側から挿入する第２挿入工程とを含む。
【００２４】
この方法によれば、読取ユニットの突起部がユニット保持部の挿通口に第１方向の他方側から挿入される。これにより、読取ユニットがユニット保持部に取り付けられる。その後、カバー部材が読取ユニットに対して第３方向の一方側に配置される。そして、カバー部材の第１方向の一方側の端部が取付部に第１方向の他方側から挿入される。これにより、カバー部材が取付部に取り付けられる。
【００２５】
ユニット保持部に対する読取ユニットの取付方向と取付部に対するカバー部材の取付方向とが同じである。これにより、読取ユニットがユニット保持部に取り付けられた後、カバー部材が取付部に取り付けられるときに、読取ユニットの突起部または挿通口がユニット保持部の挿通口または突起部から離脱することを抑制できる。よって、イメージセンサユニットが保持部材に取り付けられた後の製造過程で、読取ユニットがユニット保持部から脱落することを抑制できる。
【００２６】
本発明のさらに他の局面に係る画像読取装置は、第１方向の一方側に開放される挿通口が形成され、第１方向に直交する第２方向に移動される原稿または前記第２方向に移動して静止された原稿の画像を読み取るように構成される読取ユニットと、前記第１方向の前記他方側に突出し、前記読取ユニットの前記挿通口に挿入されるように構成される突起部が形成され、前記読取ユニットを保持するように構成されるユニット保持部と、前記読取ユニットに対して前記第１方向および前記第２方向と直交する第３方向の一方側に配置されるカバー部材と、前記カバー部材に対して前記第１方向の前記一方側に設けられ、前記カバー部材の前記第１方向の前記一方側の端部が前記第１方向の前記他方側から挿入されるように構成される取付部とを備える。
【００２７】
この構成によれば、読取ユニットの挿通口にユニット保持部の突起部が第１方向の一方側から挿入されるように、読取ユニットが第１方向の他方側から一方側に移動される。これにより、読取ユニットがユニット保持部に取り付けられる。その後、カバー部材が読取ユニットに対して第３方向の一方側に配置される。そして、カバー部材の第１方向の一方側の端部が取付部に第１方向の他方側から挿入される。これにより、カバー部材が取付部に取り付けられる。
【００２８】
ユニット保持部に対する読取ユニットの取付方向と取付部に対するカバー部材の取付方向とが同じである。これにより、読取ユニットがユニット保持部に取り付けられた後、カバー部材が取付部に取り付けられるときに、読取ユニットの突起部がユニット保持部の挿通口から離脱することを抑制できる。よって、読取ユニットが保持部材に取り付けられた後の製造過程で、読取ユニットがユニット保持部から脱落することを抑制できる。
【００２９】
本発明のさらに他の局面に係る画像読取装置の製造方法は、読取ユニットおよびカバー部材をユニット保持部に取り付けて、画像読取装置を製造する方法であって、第１方向の一方側に開放される挿通口が形成され、原稿の画像を読み取るように構成されており、前記ユニット保持部は、前記第１方向の前記他方側に突出する突起部が形成され、前記読取ユニットを保持するように構成されており、前記読取ユニットの前記突起部または前記挿通口を、前記第１方向の前記他方側から前記ユニット保持部の前記挿通口または前記突起部に挿入する第１挿入工程と、前記第１挿入工程後、前記カバー部材の前記第１方向の前記一方側の端部を、前記カバー部材に対して前記第１方向の前記一方側に設けられた取付部に前記第１方向の前記他方側から挿入する第２挿入工程とを含む。
【００３０】
この方法によれば、読取ユニットの挿通口にユニット保持部の突起部が第１方向の一方側から挿入されるように、読取ユニットが第１方向の他方側から一方側に移動される。これにより、読取ユニットがユニット保持部に取り付けられる。その後、カバー部材が読取ユニットに対して第３方向の一方側に配置される。そして、カバー部材の第１方向の一方側の端部が取付部に第１方向の他方側から挿入される。これにより、カバー部材が取付部に取り付けられる。
【００３１】
ユニット保持部に対する読取ユニットの取付方向と取付部に対するカバー部材の取付方向とが同じである。これにより、読取ユニットがユニット保持部に取り付けられた後、カバー部材が取付部に取り付けられるときに、読取ユニットの突起部または挿通口がユニット保持部の挿通口または突起部から離脱することを抑制できる。よって、イメージセンサユニットが保持部材に取り付けられた後の製造過程で、読取ユニットがユニット保持部から脱落することを抑制できる。
【発明の効果】
【００３２】
本発明によれば、ユニット保持部に対する読取ユニットの取付方向とカバー部材の取付方向とが同じである。これにより、とくにカバー部材が取付部に取り付けられるときに、読取ユニットがユニット保持部から脱落することを抑制できる。
【図面の簡単な説明】
【００３３】
【図１】図１は、本発明の一実施形態に係る画像読取装置１が組み込まれた複合機１００の左前上方から見た斜視図である。
【図２】図２は、画像読取装置１の内部構成を示す説明図である。
【図３】図３は、画像読取装置１の下フレーム１２の平面図である。
【図４】図４は、下フレーム１２の右前上方から見た斜視図であり、図３における位置決め部材１０１が取り外された状態を示す。
【図５】図５は、下フレーム１２の左前上方から見た斜視図である。
【図６】図６は、下フレーム１２の左前上方から見た斜視図であり、図５における位置決め部材１１１が取り外された状態を示す。
【図７】図７は、下フレーム１２の右前上方から見た斜視図であり、図４におけるコンタクトガラス２８が取り外された状態を示す。
【図８】図８は、下フレーム１２の右前上方から図７と異なる角度で見た斜視図であり、図４におけるコンタクトガラス２８が取り外された状態を示す。
【図９】図９は、下フレーム１２の左前上方から見た斜視図であり、図４におけるコンタクトガラス２８が取り外された状態を示す。
【図１０】図１０は、図７に示される二点鎖線で囲まれた部分の拡大図である。
【図１１】図１１は、図８に示される二点鎖線で囲まれた部分の拡大図であり、左挿通溝６３に突起部７３が挿通された状態を示す。
【図１２】図１２は、図８に示される二点鎖線で囲まれた部分の拡大図であり、左挿通溝から突起部７３が離脱した状態を示す。
【図１３】図１３は、図９に示される二点鎖線で囲まれた部分の拡大図である。
【図１４】図１４は、変形例について説明するために、ユニット保持部２６および密着イメージセンサユニット２７を図解的に示す説明図である。
【発明を実施するための形態】
【００３４】
以下では、本発明の実施の形態について、画像読取装置１が複合機１００に組み込まれた構成を例にとって、添付図面を参照しつつ詳細に説明する。
【００３５】
＜全体構成＞
【００３６】
図１に示されるように、複合機１００は、画像読取装置１と画像形成装置２とを備えている。画像読取装置１は、画像形成装置２の上方に設けられている。画像形成装置２は、用紙などのシートを収容するシートカセット３を備えている。シートカセット３は、画像形成装置２から水平方向に引き出し可能に構成されている。画像形成装置２は、シートカセット３から給送されるシートに画像を形成する。各種設定のための操作表示部４は、画像読取装置１の上フレーム１１の上面に設けられている。
【００３７】
なお、次に述べる原稿トレイ１８に対して上フレーム１１が設けられている側を前側と規定し、その反対側を後側と規定する。また、画像読取装置１を前側から見て、左右および上下の各方向を規定する。そして、図１以降の各図では、図面の理解を助けるために、その規定された方向を矢印で示す。
【００３８】
図２に示されるように、画像読取装置１は、上フレーム１１、下フレーム１２および原稿トレイ１８を備えている。上フレーム１１と下フレーム１２との間に、原稿Ｄが搬送される原稿搬送路１３が形成される。原稿搬送路１３の後端は、上フレーム１１の後端部１４と下フレーム１２との間において、後上方に開放される原稿導入口１５を形成している。原稿搬送路１３の前端は、上フレーム１１と下フレーム１２の前端部１６との間において、前方に開放される原稿排出口１７を形成している。
【００３９】
原稿トレイ１８は、下フレーム１２の後端部１９から後上方に延びている。原稿Ｄは、原稿トレイ１８と下フレーム１２の後端部１９とに跨がった状態に載置される。原稿トレイ１８上の原稿Ｄは、原稿導入口１５から原稿搬送路１３に導入される。原稿搬送路１３に導入された原稿Ｄは、原稿搬送路１３を通過して、原稿排出口１７から排出される。
【００４０】
画像読取装置１は、供給ローラ２０、分離片２１、上下一対のＬＦローラ２２，２３、ユニット保持部２６、密着イメージセンサユニット２７、コンタクトガラス２８、押さえ部材２９および上下一対の排出ローラ２４，２５を備えている。
【００４１】
供給ローラ２０は、下フレーム１２に、左右方向に延びる回転軸線を中心に回転可能に保持されている。供給ローラ２０の周面の一部は、下フレーム１２から原稿搬送路１３に突出している。
【００４２】
分離片２１は、たとえば、ゴムからなる。分離片２１の基端部は、上フレーム１１に取り付けられている。分離片２１は、前下がりに傾斜している。分離片２１の遊端部は、原稿搬送路１３において、供給ローラ２０の周面に前上方から弾性的に当接している。
【００４３】
一対のＬＦローラ２２，２３は、供給ローラ２０の前側に間隔を空けて配置されている。ＬＦローラ２２は、上フレーム１１に、左右方向に延びる回転軸線を中心に回転可能に保持されている。ＬＦローラ２３は、下フレーム１２に、左右方向に延びる回転軸線を中心に回転可能に保持されている。ＬＦローラ２２，２３の各周面は、原稿搬送路１３において、互いに当接している。ＬＦローラ２２は、ＬＦローラ２３に従動して回転する。
【００４４】
ユニット保持部２６は、ＬＦローラ２２，２３と後述する排出ローラ２４，２５との間において、下フレーム１２に設けられている。ユニット保持部２６には、下方に凹む凹部３０が形成されている。
【００４５】
密着イメージセンサユニット２７は、ＬＥＤ光源、レンズおよびイメージセンサを備えている。密着イメージセンサユニット２７は、ユニット保持部２６の凹部３０に収容されている。
【００４６】
コンタクトガラス２８は、密着イメージセンサユニット２７の上方に配置され、凹部３０を上方から閉塞するように設けられている。コンタクトガラス２８の上面３１は、図３、図４、図５および図６に示されるように、前後方向および左右方向に延びる平面に形成されている。
【００４７】
押さえ部材２９は、コンタクトガラス２８の上方に配置されている。押さえ部材２９は、上フレーム１１に弾性的に支持されている。
【００４８】
一対の排出ローラ２４，２５は、ＬＦローラ２２，２３の前側に間隔を空けて配置されている。排出ローラ２４は、上フレーム１１に、左右方向に延びる回転軸線を中心に回転可能に保持されている。排出ローラ２５は、下フレーム１２の前端部１６に、左右方向に延びる回転軸線を中心に回転可能に保持されている。排出ローラ２４，２５の各周面は、原稿排出口１７において、互いに当接している。排出ローラ２４は、排出ローラ２５に従動して回転する。
【００４９】
＜画像の読み取り＞
【００５０】
図２を参照しつつ、画像読取装置１における原稿Ｄの画像の読取りについて説明する。
【００５１】
原稿Ｄは、画像が形成された面を下方に向けて、原稿導入口１５に後側から差し込まれる。このとき、原稿Ｄの先端部は、供給ローラ２０および分離片２１に当接される。
【００５２】
使用者により、たとえば、操作表示部４が操作されて、原稿Ｄの画像の読み取りの開始が指示される。読み取りの開始が指示されると、供給ローラ２０が右側から見て反時計回りに回転される。供給ローラ２０の回転により、原稿Ｄの搬送が開始される。原稿Ｄは、供給ローラ２０と分離片２１との間で１枚ずつに分離され得る。
【００５３】
原稿Ｄは、原稿搬送路１３をＬＦローラ２２，２３に向けて搬送される。下側のＬＦローラ２３は、非図示のモータからの駆動力により、右側から見て反時計回りに回転されている。上側のＬＦローラ２２は、ＬＦローラ２３の回転に従動して、右側から見て時計回りに回転している。ＬＦローラ２２，２３に到達した原稿Ｄは、ＬＦローラ２２，２３の回転により、排出ローラ２４，２５に向けて搬送される。
【００５４】
ＬＦローラ２２，２３の間を通過した原稿Ｄは、コンタクトガラス２８と押さえ部材２９との間に送り込まれる。原稿Ｄは、押さえ部材２９に付与されている弾性力により、コンタクトガラス２８の上面３１に押しつけられる。密着イメージセンサユニット２７は、コンタクトガラス２８の上面３１に押しつけられている原稿Ｄの下面に光を照射する。密着イメージセンサユニット２７は、原稿Ｄの下面での反射光を受光する。密着イメージセンサユニット２７は、光電変換により、原稿Ｄの下面に形成されている画像のデータを出力する。
【００５５】
下側の排出ローラ２４は、非図示のモータからの駆動力により、右側から見て反時計回りに回転されている。上側の排出ローラ２５は、排出ローラ２４の回転に従動して、右側から見て時計回りに回転している。コンタクトガラス２８上を通過した原稿Ｄは、排出ローラ２４，２５の回転により、原稿搬送路１３から原稿排出口１７を介して排出される。
【００５６】
＜ユニット保持部＞
【００５７】
ユニット保持部２６は、図２、図７、図８、図９および図１３に示されるように、ガラス支持部４１、ガラス支持部４２、ガラス支持部４３、ガラス支持部４４、後壁部４５、前壁部４６、左壁部４７、右壁部４８、底壁部４９、左挿通壁６１、右挿通壁６２、右側壁１１５を備えている。
【００５８】
支持部の一例としてのガラス支持部４１は、ユニット保持部２６の後端側に設けられている。ガラス保持部４１は、下フレーム１２の後側部分５１の前方に位置する。ガラス支持部４１の上面４１Ｕは、後側部分５１の上面に対して下方に位置する。カラス支持部４１の上面４１Ｕは、左右方向に延びている。ガラス支持部４１の上面４１Ｕと後側部分５１との段差は、コンタクトガラス２８の厚さよりも大きい。ガラス支持部４１は、図７などに示すように左右方向に延出している。
【００５９】
支持部の一例としてのガラス支持部４２は、ユニット保持部２６の前端側に設けられている。ガラス支持部４２は、下フレーム１２の前側部分５２の後方に位置する。ガラス支持部４２の上面４２Ｕは、前側部分５２の上面に対して下方に位置する。ガラス支持部４２の上面４２Ｕは、左右方向に延びている。ガラス支持部４２の上面４２Ｕと前側部分５２との段差は、ガラス支持部４１の上面４１Ｕと後側部分５１との段差よりも小さく、コンタクトガラス２８の厚さよりも小さい。また、ガラス支持部４２の上面４２Ｕは、ガラス支持部４１の上面４１Ｕと略同一平面上に位置している。
【００６０】
ガラス支持部４３は、図７および図８に示されるように、ガラス支持部４１の左端部とガラス支持部４２の左端部とに接続されている。ガラス支持部４３の上面４３Ｕは、ガラス支持部４１の上面４１Ｕおよびガラス支持部４２の上面４２Ｕに連続している。ガラス支持部４３の上面４３Ｕは、前後方向に延びている。
【００６１】
ガラス支持部４４は、図９に示されるように、ガラス支持部４１の右端部とガラス支持部４２の右端部とに接続されている。ガラス支持部４４の上面４４Ｕは、ガラス支持部４１の上面４１Ｕおよびガラス支持部４２の上面４２Ｕに連続している。ガラス支持部４４の上面４４Ｕは、前後方向に延びている。
【００６２】
後壁部４５は、図２に示されるように、ガラス支持部４１から下方に延びている。
【００６３】
前壁部４６は、ガラス支持部４２から下方に延びている。
【００６４】
左壁部４７は、図７および図８に示されるように、ガラス支持部４３から下方に延びている。
【００６５】
右壁部４８は、図９に示されるように、ガラス支持部４４から下方に延びている。
【００６６】
底壁部４９は、後壁部４５、前壁部４６、左壁部４７および右壁部４８の各下端間に架設されている。
【００６７】
凹部３０は、後壁部４５、前壁部４６、左壁部４７、右壁部４８および底壁部４９によって形成される。凹部３０は、下フレーム１２の上面の後側部分５１および前側部分５２から下方に凹んでいる。
【００６８】
左挿通壁６１は、後壁部４５の左端部から前方に延出している。左挿通壁６１は、左壁部４７と間隔を空けて位置する。左挿通壁６１がその上端縁から下方に切り欠かれることにより、左挿通溝６３が形成されている。左挿通溝６３は、挿通口として右側に開放されている。
【００６９】
右挿通壁６２は、図９に示されるように、後壁部４５の右端部から前方に延出している。右挿通壁６２は、右壁部４８の左面と間隔を空けて位置する。右挿通壁６２がその上端縁から下方に切り欠かれることにより、右挿通溝６５が形成されている。右挿通溝６５は、挿通口として右側に開放されている。
【００７０】
右側壁１１５は、ガラス支持部４４の右側において、ガラス支持部４４の上面４４Ｕから上方に延びている。
【００７１】
また、画像読取装置１は、図８に示されるように、支持部の一例としての弾性部材５３，５４を備えている。
【００７２】
弾性部材５３，５４は、スポンジからなる。弾性部材５３，５４は、それぞれガラス支持部４１およびガラス支持部４２上に配置され、左右方向に延びている。弾性部材５３、５４がガラス支持部４１およびガラス支持部４２上に配置されることにより、紙粉等が図２に示す下フレーム１２の後側部分５１及び前側部分５２とコンタクトガラス２８との隙間からユニット保持部２６内部に侵入することを抑制することができる。従って、弾性部材５３，５４により、コンタクトガラス２８を支持できるだけでなく、密着イメージセンサユニット２７による読取精度を良好に維持することができる。
【００７３】
＜密着イメージセンサユニット＞
【００７４】
密着イメージセンサユニット２７は、ユニット保持部２６の凹部３０に収容されている。密着イメージセンサユニット２７は、密着イメージセンサユニット２７とユニット保持部２６の底壁部４９との間に介在されたコイルばね７０により、底壁部４９上で弾性的に支持されている。密着イメージセンサユニット２７は、左右方向に延びている。密着イメージセンサユニット２７は、後左端部および後右端部に、それぞれ位置決め部７１，７２を備える。
【００７５】
左側の位置決め部７１は、左挿通壁６１の右側に配置される。位置決め部７１の左面７１Ｌは、左挿通壁６１の右面６１Ｒと平行をなす。位置決め部７１は、突起部７３を備えている。突起部７３は、位置決め部７１の左面７１Ｌから左側に突出している。突起部７３は、左挿通壁６１の左挿通溝６３に右側から左方へ挿通される。
【００７６】
右側の位置決め部７２は、右挿通壁６２の右側に配置される。位置決め部７２の左面７２Ｌは、右挿通壁６２の右面６２Ｒと平行をなす。位置決め部７２は、突起部７４を備えている。突起部７４は、位置決め部７２の左面７２Ｌから左方に延びている。突起部７４は、右挿通壁６２の右挿通溝６５に右側から左方へ挿通される。位置決め部７１，７２は、位置決め部７１の左面７１Ｌと位置決め部７２の左面７２Ｌとの間の距離が左挿通壁６１の右面６１Ｒと右挿通壁６２の右面６２Ｒとの間の距離と略一致するように配置されている。
【００７７】
突起部７３，７４がそれぞれ左挿通溝６３および右挿通溝６５に挿通されることにより、密着イメージセンサユニット２７は、前後方向に位置決めされている。
【００７８】
＜取付部＞
【００７９】
画像読取装置１は、図１０に示されるように、取付部８１を備えている。
【００８０】
取付部８１は、下フレーム１２に設けられている。取付部８１は、後立設部８２、後延出部８３、前立設部８４、前延出部８５、架設部８６および連結部８７を備えている。
【００８１】
当接部の一例としての後立設部８２は、下フレーム１２の上面の後側部分５１の左端部に設けられている。後立設部８２は、後側部分５１の上面から立ち上がり、前方に延びている。後立設部８２の前端部とユニット保持部２６のガラス支持部４３の上面４３Ｕとの間には、隙間８９が形成されている。取付部８１にコンタクトガラス２８が取り付けられた状態において、後立設部８２はコンタクトガラス２８の左側の端部に上方から当接する。すなわち、取付部８１は、コンタクトガラス２８の左側の端部に上方から当接する後立設部８２を備えている。
【００８２】
当接部の一例としての後延出部８３は、後立設部８２の前端部から左方に延出している。取付部８１にコンタクトガラス２８が取り付けられた状態において、後延出部８３はコンタクトガラス２８の左側の端部に上方から当接する。
【００８３】
当接部の一例としての前立設部８４は、下フレーム１２の上面の前側部分５２の左端部に設けられている。前立設部８４は、前側部分５２の上面から立ち上がり、後方に延びている。前立設部８４の後端部とユニット保持部２６のガラス支持部４３の上面４３Ｕとの間には、隙間９０が形成されている。取付部８１にコンタクトガラス２８が取り付けられた状態において、前立設部８４はコンタクトガラス２８の左側の端部に上方から当接する。すなわち、取付部８１は、コンタクトガラス２８の左側の端部に上方から当接する前立設部８４を備えている。
【００８４】
当接部の一例としての前延出部８５は、前立設部８４の後端部から左方に延出している。前延出部８５は、後延出部８３に対して後方に間隔を空けた位置で、後延出部８３と平行をなしている。取付部８１にコンタクトガラス２８が取り付けられた状態において、前延出部８５はコンタクトガラス２８の左側の端部に上方から当接する。
【００８５】
架設部８６は、後延出部８３の左端部と前延出部８５の左端部との間に架設されている。
【００８６】
連結部８７は、ユニット保持部２６のガラス支持部４３の前後方向の中央部から左方に延びている。連結部８７は、途中部で上方に屈曲し、架設部８６の前後方向の中央部に下方から接続されている。後延出部８３と連結部８７との間および前延出部８５と連結部８７との間には、それぞれ開口９５，９６が生じている。
【００８７】
＜密着イメージセンサユニットおよびコンタクトガラスの組み付け＞
【００８８】
密着イメージセンサユニット２７およびコンタクトガラス２８のユニット保持部２６への組み付け方法について説明する。
【００８９】
まず、密着イメージセンサユニット２７がユニット保持部２６に組み付けられる。
【００９０】
位置決め部７１，７２がそれぞれ左挿通壁６１および右挿通壁６２の右側に配置されるように、密着イメージセンサユニット２７がユニット保持部２６の凹部３０に収容される。密着イメージセンサユニット２７が凹部３０に収容された直後の状態では、図１１に示されるように、位置決め部７１の突起部７３の先端は、ユニット保持部２６の左挿通壁６１の右側に位置している。また、位置決め部７２の突起部７４の先端は、ユニット保持部２６の右挿通壁６２の右側に位置している。
【００９１】
その後、密着イメージセンサユニット２７が左方に移動される。この密着イメージセンサユニット２７の移動により、図１２に示されるように、位置決め部７１の突起部７３が左挿通壁６１の左挿通溝６３に右側から左側に挿入される。また、位置決め部７２の突起部７４が右挿通壁６２の右挿通溝６５に右側から左側に挿入される。
【００９２】
密着イメージセンサユニット２７は、位置決め部７１の左面７１Ｌが左挿通壁６１の右面６１Ｒに当接するまで左方に移動される。位置決め部７１の左面７１Ｌが左挿通壁６１に当接すると、位置決め部７２の左面７２Ｌが右挿通壁６２の右面６２Ｒに当接する。
【００９３】
以上により、密着イメージセンサユニット２７のユニット保持部２６への組み付けが完了する。突起部７３，７４がそれぞれ左挿通溝６３および右挿通溝６５に挿通されることにより、密着イメージセンサユニット２７は、ユニット保持部２６に対して前後方向に位置決めされている。ユニット保持部２６は、密着イメージセンサユニット２７を前後方向に位置決めした状態で保持している。
【００９４】
その後、図７および図１０に示されるように、間隔調整部材９１が密着イメージセンサユニット２７の左端部に取り付けられる。具体的には、図１０に示されるように、２本のねじ９２が間隔調整部材９１に挿通され、各ねじ９２の先端が密着イメージセンサユニット２７に形成されたねじ穴にねじ込まれる。ただし、間隔調整部材９１は、密着イメージセンサユニット２７のユニット保持部２６に対する位置決めの前に密着イメージセンサユニット２７に取り付けられていてもよい。すなわち、間隔調整部材９１が取り付けられた状態で密着イメージセンサユニット２７がユニット保持部２６に対して位置決めされてもよい。
【００９５】
また、図９および図１３に示されるように、間隔調整部材９３が密着イメージセンサユニット２７の右端部に取り付けられる。具体的には、図１３に示されるように、2本のねじ９４が間隔調整部材９３に挿通され、各ねじ９４の先端が密着イメージセンサユニット２７に形成されたねじ穴にねじ込まれる。ただし、間隔調整部材９３は、密着イメージセンサユニット２７のユニット保持部２６に対する位置決めの前に密着イメージセンサユニット２７に取り付けられていてもよい。すなわち、間隔調整部材９３が取り付けられた状態で密着イメージセンサユニット２７がユニット保持部２６に対して位置決めされてもよい。
【００９６】
次に、コンタクトガラス２８がユニット保持部２６に組み付けられる。
【００９７】
図４に示されるように、組付作業者の手指などにより、例えば、コンタクトガラス２８の右端部が挟持される。そして、コンタクトガラス２８の左後端部および左前端部がそれぞれ取付部８１の隙間８９，９０に右側から左方へ挿入される。このとき、コンタクトガラス２８は、左端部が相対的に下方に位置し、右端部が相対的に上方に位置するように、右上がりに傾斜した状態となる。その後、コンタクトガラス２８の右端部が下方に移動されながら、コンタクトガラス２８がさらに左方へ移動される。コンタクトガラス２８の右端部の移動に伴って、コンタクトガラス２８の後縁部および前縁部がその左側から図８に示される弾性部材５３，５４に接触していく。そして、コンタクトガラス２８から手指などが放されると、コンタクトガラス２８は、弾性部材５３，５４に弾性的に支持された状態となる。
【００９８】
この状態で、弾性部材５３，５４の弾性力により、コンタクトガラス２８が上方に押圧される。この押圧により、コンタクトガラス２８の上面３１の左後端部および左前端部がそれぞれ取付部８１の後立設部８２と後延出部８３とがなす角部および前立設部８４と前延出部８５とがなす角部に当接する。また、コンタクトガラス２８の左端面は、取付部８１の連結部８７に右側から当接している。開口９５，９６の各下端部は、コンタクトガラス２８によって閉塞されている。開口９５，９６の各上端部は、左右方向に開放されている。
【００９９】
その後、図３に示されるように、位置決め部材１０１がユニット保持部２６に取り付けられる。位置決め部材１０１は、２個の挿入部１０２，１０３と当接部１０４とを一体的に備えている。挿入部１０２，１０３は、当接部１０４の下端部から突出している。
【０１００】
位置決め部材１０１がユニット保持部２６に取り付けられる際には、当接部１０４がコンタクトガラス２８の上面３１上に載置される。そして、位置決め部材１０１が左方に移動され、挿入部１０２，１０３がそれぞれ開口９５，９６に挿入される。このとき、挿入部１０２，１０３は、取付部８１の架設部８６によって下方に押圧されながら、それぞれ開口９５，９６に挿入されていく。位置決め部材１０１は、当接部１０４が架設部８６に当接するまで左方に移動される。
【０１０１】
位置決め部材１０１がユニット保持部２６に取り付けられた状態では、取付部８１の架設部８６により、挿入部１０２，１０３が下方に押圧されている。そのため、当接部１０４により、コンタクトガラス２８の左端部が下方に押圧される。
【０１０２】
また、図５および図７に示されるように、位置決め部材１１１がユニット保持部２６に取り付けられる。位置決め部材１１１がユニット保持部２６に取り付けられると、位置決め部材１１１は、コンタクトガラス２８の上側に位置する。位置決め部材１１１は、２個の挿入部１１２，１１３と押圧部１１４とを一体的に備えている。挿入部１１２，１１３は、押圧部１１４の下端部から突出している。
【０１０３】
位置決め部材１１１がユニット保持部２６に取り付けられる際には、押圧部１１４がコンタクトガラス２８の上面３１上に載置される。そして、位置決め部材１１１が左側から右方に移動されることで、挿入部１１２，１１３がユニット保持部２６の右側壁１１５に形成された開口１１６に左側から挿入される。このとき、挿入部１１２，１１３は、右側壁１１５における開口１１６の上方の部分によって下方に押圧されながら、開口１１６に挿入されていく。位置決め部材１１１は、押圧部１１４が右側壁１１５に当接するまで右方に移動される。
【０１０４】
位置決め部材１１１がユニット保持部２６に取り付けられた状態では、右側壁１１５における開口１１６の上方の部分により、挿入部１１２，１１３が下方に押圧されている。そのため、押圧部１１４により、コンタクトガラス２８の右端部が下方に押圧される。そして、ガラス支持部４１、ガラス支持部４２及び弾性部材５３、５４によりコンタクトガラス２８は、下方から支持される。また、間隔調整部材９１、９３は、密着イメージセンサユニット２７とコンタクトガラス２８との間に介在される。
【０１０５】
以上により、コンタクトガラス２８のユニット保持部２６への組み付けが完了する。位置決め部材１０１の当接部１０４および位置決め部材１１１の押圧部１１４がそれぞれコンタクトガラス２８の左端部および右端部を下方に押圧することにより、コンタクトガラス２８は、ユニット保持部２６に対して上下方向に位置決めされる。また、間隔調整部材９１，９３がコンタクトガラス２８に下方から当接する。これにより、密着イメージセンサユニット２７とコンタクトガラス２８との間の間隔は、間隔調整部材９１，９３の厚さに調整される。
【０１０６】
＜作用効果＞
【０１０７】
以上のように、密着イメージセンサユニット２７の突起部７３，７４がそれぞれユニット保持部２６の左挿通溝６３および右挿通溝６５に右側から左方へ挿入される。これにより、密着イメージセンサユニット２７がユニット保持部２６に前後方向に位置決めされた状態で取り付けられる。その後、コンタクトガラス２８が密着イメージセンサユニット２７に対して上側に配置される。そして、コンタクトガラス２８の左端部が取付部８１の後立設部８２の下方の隙間８９および前立設部８４の下方の隙間９０に右側から左方へ挿入される。これにより、コンタクトガラス２８が取付部８１に取り付けられる。
【０１０８】
ユニット保持部２６に対する密着イメージセンサユニット２７の取付方向と取付部に対するコンタクトガラス２８の取付方向とが同じである。これにより、密着イメージセンサユニット２７がユニット保持部２６に取り付けられた後、コンタクトガラス２８が取付部８１に取り付けられるときに、密着イメージセンサユニット２７が右側にずれることを抑制できる。そのため、密着イメージセンサユニット２７の突起部７３，７４がそれぞれユニット保持部２６の左挿通溝６３および右挿通溝６５から離脱することを抑制できる。よって、密着イメージセンサユニット２７が保持部材に取り付けられた後の製造過程で、密着イメージセンサユニット２７がユニット保持部２６から脱落することを抑制できる。
【０１０９】
ユニット保持部２６の右側壁１１５には、開口１１６が形成されている。位置決め部材１１１の挿入部１１２，１１３がユニット保持部２６の開口１１６に挿入されることにより、位置決め部材１１１をユニット保持部２６に取り付けることができる。そして、その状態で、位置決め部材１１１の押圧部１１４がコンタクトガラス２８に上側から当接することにより、コンタクトガラス２８の右端部が上方に移動することを抑制できる。その結果、コンタクトガラス２８を上下方向に位置決めすることができる。
【０１１０】
間隔調整部材９１，９３は、密着イメージセンサユニット２７とコンタクトガラス２８との間に介在される。これにより、密着イメージセンサユニット２７とコンタクトガラス２８との間隔を一定に調整することができる。その結果、コンタクトガラス２８上に配置される原稿Ｄの読取対象面と密着イメージセンサユニット２７との間隔を一定に保持することができる。よって、密着イメージセンサユニット２７により、原稿Ｄの読取対象面の画像を良好に読み取ることができる。
【０１１１】
＜変形例＞
【０１１２】
以上、本発明の一実施形態について説明したが、本発明は、他の形態で実施することもできる。
【０１１３】
たとえば、密着イメージセンサユニット２７をユニット保持部２６に前後方向に位置決めするための構成として、図１４に示される構成が採用されてもよい。なお、図１４において、前述の各部に相当する部分には、それらの各部と同一の参照符号が付されている。
【０１１４】
図１４に示される構成では、突起部１２１，１２２がそれぞれユニット保持部２６の左挿通壁６１および右挿通壁６２から右側に突出して設けられている。また、挿入凹部１２３，１２４がそれぞれ密着イメージセンサユニット２７の位置決め部７１，７２に形成されている。挿入凹部１２３，１２４は、それぞれ位置決め部７１の左面７１Ｌおよび位置決め部７２の左面７２Ｌから右方に凹んでいる。挿入凹部１２３，１２４は、挿通口として左側に開放されている。
【０１１５】
密着イメージセンサユニット２７がユニット保持部２６に取り付けられるときには、位置決め部７１，７２がそれぞれ左挿通壁６１および右挿通壁６２の右側に配置される。その後、密着イメージセンサユニット２７が左方に移動される。この密着イメージセンサユニット２７の移動により、位置決め部７１の挿入凹部１２３に左挿通壁６１の突起部１２１が挿入される。また、位置決め部７２の挿入凹部１２４に右挿通壁６２の突起部１２２が挿入される。
【０１１６】
なお、本発明における読取ユニットの概念には、密着イメージセンサユニット２７に備えられるＬＥＤ光源、レンズおよびイメージセンサなどが一体化されて構成される密着イメージセンサ単体が含まれる。また、その密着イメージセンサがホルダに収容されて、ホルダごとユニット保持部２６に取り付けられる場合、密着イメージセンサおよびホルダを含むユニットが本発明における読取ユニットの概念に含まれる。
【０１１７】
また、上述の実施形態において位置決め部材１０１がユニット保持部２６に取り付けられていた。しかし、これに限らず、例えば、位置決め部材１０１のような別部品の位置決め部材がユニット保持部２６に取り付けられず、コンタクトガラス２８の左端部が、後立設部８２及びガラス支持部４１などにより位置決めされてもよい。
【０１１８】
また、画像読取装置１が複合機１００に搭載された場合を例にとったが、画像読取装置１は、それ単体で用いられてもよい。
【０１１９】
その他、前述の構成には、特許請求の範囲に記載された事項の範囲で種々の設計変更を施すことが可能である。
【符号の説明】
【０１２０】
１      画像読取装置
２６    ユニット保持部
２７    密着イメージセンサユニット
２８    コンタクトガラス
６３    左挿通溝
６５    右挿通溝
７３    突起部
７４    突起部
８１    取付部
８２    後立設部
８４    前立設部
９１    間隔調整部材
９３    間隔調整部材
１１１  位置決め部材
１１６  開口
１１２  挿入部
１１３  挿入部
１１４  押圧部
１２１  突起部
１２２  突起部
１２３  挿入凹部
１２４  挿入凹部
Ｄ      原稿
【図１】
2014096713.tif 000003
【図２】
2014096713.tif 000004
【図３】
2014096713.tif 000005
【図４】
2014096713.tif 000006
【図５】
2014096713.tif 000007
【図６】
2014096713.tif 000008
【図７】
2014096713.tif 000009
【図８】
2014096713.tif 000010
【図９】
2014096713.tif 000011
【図１０】
2014096713.tif 000012
【図１１】
2014096713.tif 000013
【図１２】
2014096713.tif 000014
【図１３】
2014096713.tif 000015
【図１４】
2014096713.tif 000016